(57)【特許請求の範囲】
【請求項１】
媒体搬送路に沿って搬送する媒体を、搬送方向に沿う前記媒体搬送路の一方の端部に幅寄せする媒体幅寄せユニットであって、
前記媒体搬送路に対向し、この媒体搬送路の幅方向に回転自在に取り付けた幅寄せローラと、
前記媒体搬送路に対向し、この媒体搬送路の前記一方の端部と、前記幅寄せローラと、の間に取り付けたガイド部材と、
前記幅寄せローラ、および前記ガイド部材を、前記媒体搬送路に沿って搬送する媒体に対して接離する方向に駆動する第１の駆動機構と、
前記幅寄せローラを回転駆動する第２の駆動機構と、を備え、
前記第１の駆動機構は、前記媒体搬送路に沿って搬送する媒体から、前記幅寄せローラ、および前記ガイド部材を離す方向に駆動するとき、前記幅寄せローラの駆動に比べて、前記ガイド部材の駆動を遅らせる、媒体幅寄せユニット。
【請求項２】
前記幅寄せローラは、弾性材からなるリング部材を、周面に形成した溝に嵌入している、請求項１に記載の媒体幅寄せユニット。
【請求項３】
前記幅寄せローラは、前記リング部材が周面から突出する部分と、突出しない部分とが混在するように、前記溝を形成している、請求項２に記載の媒体幅寄せユニット。
【請求項４】
前記ガイド部材は、前記媒体搬送路における媒体の搬送方向に回転自在に取り付けたガイドローラである、請求項１〜３のいずれかに記載の媒体幅寄せユニット。
【請求項５】
前記ガイドローラは、前記媒体搬送路の前記一方の端部側に比べて、前記幅寄せローラ側の径が短い円錐ローラである、請求項４に記載の媒体幅寄せユニット。
【発明の詳細な説明】
【技術分野】
【０００１】
この発明は、媒体搬送路に沿って搬送する媒体を、搬送方向に沿う媒体搬送路の一方の端部に幅寄せする媒体幅寄せユニットに関する。
【背景技術】
【０００２】
従来、銀行等の金融機関では、様々な種類の自動機が使用されている。例えば、現金自動預け払い機（以下、ＡＴＭと言う。）、記帳機、帳票処理機は、カード、通帳、帳票等の媒体を媒体搬送路に沿って処理位置に搬送し、この媒体に対する処理を行っている。媒体に対する処理としては、磁気データや電子データの読み取り、書き込み、文字やパターンの読み取り、印字等である。
【０００３】
この種の自動機は、媒体を媒体搬送路に沿って適正に搬送するために、媒体搬送路の入口である挿入口に挿入された媒体を媒体搬送路の基準位置に合わせる媒体幅寄せユニットを備えている。媒体幅寄せユニット、例えば媒体の搬送方向に沿う媒体搬送路の一方の端部（一方の側面）を基準面とし、挿入口に挿入された媒体を基準面に幅寄せする（特許文献１、２等参照）。自動機は、この媒体幅寄せユニットを挿入口付近に取り付けている。
【０００４】
特許文献１は、媒体搬送路の幅方向（媒体の搬送方向に垂直な方向）に回転自在に取り付けた幅寄せローラを備えている。この幅寄せローラは、回転角度によって、媒体挿入口に挿入された媒体（通帳やカード等）に当接している状態と、当接していない状態との間で変化する。
【０００５】
また、特許文献２は、幅寄せローラを、外側に向かって放射状に延びる板状の複数の羽を外周面に設けた羽根車で構成している。また、この羽根車を上昇、下降させることにより、媒体挿入口に挿入された媒体に当接している状態と、当接していない状態との間で変化させる構成である。
【０００６】
上述したように、幅寄せローラは、媒体搬送路の幅方向（媒体の搬送方向に垂直な方向）に回転する。したがって、媒体を基準面に幅寄せした後、この媒体を媒体搬送路に沿って搬送するとき、媒体に当接していない状態にする必要がある。
【先行技術文献】
【特許文献】
【０００７】
【特許文献１】特開２０００−２８１２３４号公報
【特許文献２】特開２００３−２０６０５８号公報
【発明の概要】
【発明が解決しようとする課題】
【０００８】
しかしながら、媒体幅寄せユニットは、挿入口にセットされた媒体を、幅寄せローラで媒体搬送路の幅方向に移動し、この媒体の側辺を対向する媒体搬送路の端部に押し当てることで、媒体を媒体搬送路の基準位置に合わせている。
【０００９】
媒体幅寄せユニットは、幅寄せローラを停止するタイミングが、実際に媒体が媒体搬送路の基準位置に合ったタイミングよりも遅れる。このタイミング遅れにより、媒体が媒体搬送路の一方の端部に押圧される期間が生じる。媒体が通帳や帳票等の紙葉類である場合、角が折れたり、幅方向に皺ができることがある。そして、媒体は、幅寄せローラが離れると、皺が戻る力等が反力になって、媒体搬送路の端部から離れる方向に跳ね返る。この跳ね返り量が、媒体の基準位置と、実際の位置とのズレ量になる。すなわち、媒体を基準位置に精度よく合わせるには、幅寄せローラが媒体から離れたときに、この媒体が媒体搬送路の端部から離れる跳ね返り量を抑えなければならない。
【００１０】
この発明の目的は、媒体搬送路に沿って搬送する媒体を、搬送方向に沿う媒体搬送路の一方の端部に精度よく幅寄せし合わせることができる媒体幅寄せユニットを提供することにある。
【課題を解決するための手段】
【００１１】
この発明の媒体幅寄せユニットは、上記課題を解決し、その目的を達するために以下のように構成している。
【００１２】
この媒体幅寄せユニットは、媒体搬送路に沿って搬送する媒体を、搬送方向に沿う媒体搬送路の一方の端部に幅寄せする。
【００１３】
幅寄せローラは、媒体搬送路に対向し、この媒体搬送路の幅方向に回転自在に取り付けたている。また、ガイド部材は、媒体搬送路に対向し、この媒体搬送路の一方の端部と、幅寄せローラと、の間に取り付けている。第１の駆動機構は、幅寄せローラ、およびガイド部材を、媒体搬送路に沿って搬送する媒体に対して接離する方向に駆動する。第２の駆動機構は、幅寄せローラを回転駆動する。
【００１４】
したがって、第１の駆動機構が、幅寄せローラ、およびガイド部材を、媒体搬送路に沿って搬送する媒体に当接させた状態（媒体を抑えた状態）で、第２の駆動機構が幅寄せローラを回転駆動することにより、媒体を搬送方向に沿う媒体搬送路の一方の端部に幅寄せすることができる。
【００１５】
また、媒体搬送路の一方の端部と、幅寄せローラと、の間に位置するガイド部材が、媒体に当接しているので、この媒体が媒体搬送路の一方の端部に押圧される押圧力を緩和する。したがって、第１の駆動機構が、幅寄せローラ、およびガイド部材を、媒体搬送路の一方の端部に押圧している媒体から離間させたときにおける、媒体の跳ね返り量が抑えられる。さらに、第１の駆動機構が、媒体搬送路の一方の端部に押圧している媒体から、幅寄せローラ、ガイド部材の順に時間をずらして離間させるので、上記跳ね返りを一層抑えることができる。
【００１６】
これにより、媒体搬送路に沿って搬送する媒体を、搬送方向に沿う媒体搬送路の一方の端部に精度よく幅寄せし合わせることができる
また、幅寄せローラは、比較的摩擦係数が高いゴム等の弾性材で形成したゴムローラであってもよいが、弾性材からなるリング部材を、金属ローラの周面に形成した溝に嵌入した構成としてもよい。
【００１７】
また、このリング部材が周面から突出する部分と、突出しない部分とが混在するように、この溝を形成してもよい。このようにすれば、媒体を搬送方向に沿う媒体搬送路の一方の端部に幅寄せしているときに、この媒体に生じた皺を逃がすことができる。
【００１８】
また、ガイド部材は、媒体搬送路における媒体の搬送方向に回転自在に取り付けたガイドローラで構成することで、媒体を媒体搬送路に沿って搬送するときの搬送負荷も抑えられる。さらに、ガイドローラは、媒体を搬送方向に沿う媒体搬送路の一方の端部に幅寄せすることから、媒体搬送路の一方の端部側に比べて、幅寄せローラ側の径が短い円錐ローラにするのが好ましい。
【発明の効果】
【００１９】
この発明によれば、媒体搬送路に沿って搬送する媒体を、搬送方向に沿う媒体搬送路の一方の側面に精度よく幅寄せすることができる。
【図面の簡単な説明】
【００２０】
【図１】記帳機の主要部の構成を示すブロック図である。
【図２】この記帳機の内部構成を示す概略図である。
【図３】幅寄せユニットの主要部の構成を示すブロック図である。
【図４】幅寄せユニットを示す概略の斜視図である。
【図５】幅寄せローラの周面を示す平面図である。
【図６】幅寄せローラを回転軸方向から見た平面図である。
【図７】挿入口周辺を上面からみた概略の平面図である。
【図８】挿入口から媒体搬送路奥側をみた概略の平面図である。
【図９】幅寄せローラ、およびガイドローラを連動して駆動する機構を説明する図である。
【図１０】媒体の幅寄せ動作を説明する図である。
【図１１】媒体の幅寄せ動作を説明する図である。
【図１２】媒体の幅寄せ動作を説明する図である。
【図１３】媒体の幅寄せ動作を説明する図である。
【図１４】媒体の幅寄せ動作を説明する図である。
【図１５】媒体の幅寄せ動作を説明する図である。
【図１６】媒体の幅寄せ動作を説明する図である。
【図１７】媒体の幅寄せ動作を説明する図である。
【発明を実施するための形態】
【００２１】
以下、この発明の実施形態について説明する。
【００２２】
図１は、記帳機の主要部の構成を示すブロック図である。図２は、この記帳機の内部構成を示す概略図である。この記帳機１は、制御ユニット２と、幅寄せユニット３と、搬送ユニット４と、印字ユニット５と、ページ捲りユニット６と、磁気処理ユニット７と、通信ユニット８と、を備えている。
【００２３】
この記帳機１は、銀行等の金融機関が開設された口座に対して発行した通帳や、取引内容を記載した帳票を処理する。この記帳機１は、処理する通帳、または帳票（以下、総称して媒体ということもある。）を挿入する媒体挿入口１１、１２を２つ備えている。媒体挿入口１１は、帳票のみ挿入することができ、挿入口１２は、通帳、および帳票の両方を挿入することができる。媒体挿入口１１、１２には、挿入された媒体を受ける、搬送路面が形成されている。
【００２４】
制御ユニット２は、記帳機１本体が備える各ユニットの動作を制御する。
【００２５】
幅寄せユニット３は、通帳、または帳票を挿入する媒体挿入口１１、１２の周辺に設けている。この幅寄せユニット３は、媒体挿入口１１、１２に挿入された媒体を、媒体搬送路１３の一方の端部に幅寄せする。幅寄せユニット３の詳細については、後述する。
【００２６】
搬送ユニット４は、媒体挿入口１１、１２に挿入された媒体を、媒体搬送路１３に沿って搬送する。媒体搬送路１３は、図２に示すように、第１の媒体搬送路１３ａ、第２の媒体搬送路、共通搬送路１３ｃを有している。第１の媒体搬送路１３ａは、媒体挿入口１１に挿入された帳票を搬送する搬送路である。第２の媒体搬送路１３ｂは、挿入口１２に挿入された媒体（帳票または通帳）を搬送する搬送路である。第１の媒体搬送路１３ａ、および第２の媒体搬送路１３ｂは、それぞれ共通搬送路１３ｃに合流している。媒体挿入口１１に挿入された帳票は、第１の媒体搬送路１３ａ、共通搬送路１３ｃに沿って搬送され、排出口１４から排出される。また、挿入口１２に挿入された帳票は、第２の媒体搬送路１３ｂ、共通搬送路１３ｃに沿って搬送され、排出口１４から排出される。
【００２７】
搬送ユニット４は、一対の搬送ローラ４１ａ、４１ｂで通帳を挟持して搬送する。一方が駆動源により回転駆動される駆動ローラ４１ａであり、他方が駆動ローラ４１ａの回転にともなって回転する従動ローラ４１ｂである。一対の搬送ローラ４１ａ、４１ｂは、図２に示すように、媒体搬送路１３に沿って複数並べている。隣接する搬送ローラ４１ａ、４１ｂの間隔は、媒体の搬送方向の長さよりも短い。したがって、媒体搬送路１３に沿って搬送されている媒体は、少なくともいずれか１つの搬送ローラ４１ａ、４１ｂに挟持される。
【００２８】
搬送ユニット４は、駆動ローラ４１ａの回転駆動を制御することにより、媒体を媒体搬送路１３に沿って搬送する。
【００２９】
なお、少なくとも媒体挿入口１１、１２に最も近い搬送ローラ４１ａは、上下方向に移動自在に構成しており、搬送路面から突出している状態と、搬送路面から突出していない状態との間で変化する。
【００３０】
印字ユニット５は、取引内容を通帳や帳票に印字（記帳）する印字ヘッド５ａを備えている。印字ヘッド５ａは、共通搬送路１３ｃに対向して取り付けている。また、印字ユニット５は、光学センサ（不図示）を備え、通帳のページ毎にバーコードで印刷されているページ番号の読み取りや、開かれているページにおける取引内容の印字最終行の検出も行える。
【００３１】
ページ捲りユニット６は、ページ捲り位置に搬送されてきた通帳のページを捲るページ捲りローラ６ａを備えている。ページ捲りユニット６は、ページ捲りローラ６ａを回転させることにより、通帳のページを１枚ずつ捲ることができる。
【００３２】
磁気処理ユニット７は、挿入口１２に挿入された通帳の背表紙に貼付されている磁気シートに対して、記録されている口座番号等にかかる磁気データの読み出しや、書き込みを行う磁気ヘッド７ａを備えている。
【００３３】
通信ユニット８は、図示していない上位装置との間における通信を制御する。
【００３４】
上述した、搬送ユニット４、印字ユニット５、ページ捲りユニット６、磁気処理ユニット７、および通信ユニット８については、公知であるので、ここでは詳細な説明を省略する。
【００３５】
次に、この発明の実施形態にかかる幅寄せユニット３について詳細に説明する。媒体挿入口１１の周辺に配置している幅寄せユニット３、および挿入口１２の周辺に配置している幅寄せユニット３は、同じ構成である。図３は、幅寄せユニットの主要部の構成を示すブロック図である。図４は、幅寄せユニットを示す概略の斜視図である。幅寄せユニット３は、制御部３０と、モータ駆動部３１と、ソレノイド駆動部３２と、センサ部３３と、を備えている。モータ駆動部３１が、この発明で言う第２の駆動機構に相当する。ソレノイド駆動部３２が、この発明で言う第１の駆動機構に相当する。
【００３６】
図４に示すＡ−Ａ方向が媒体搬送路１３の幅方向であり、Ｂ−Ｂ方向が媒体搬送路１３における媒体の搬送方向である。モータ駆動部３１は、モータ３１ａの駆動を制御する。幅寄せローラ３１ｂは、モータ３１ａの駆動により、媒体搬送路１３の幅方向（Ａ−Ａ方向）に回転する。ソレノイド駆動部３２は、ソレノイド３２ａの駆動を制御する。幅寄せローラ３１ｂ、およびガイドローラ３２ｂは、ソレノイド３２ａの駆動により、媒体搬送路１３に位置する媒体に対して接離する方向に移動する。センサ部３３は、後述するセンサにより、媒体挿入口１１、１２に挿入された媒体を検知する。
【００３７】
図５は、幅寄せローラの周面を示す平面図である。図６は、幅寄せローラの回転軸方向の平面図である。幅寄せローラ３１ｂは、金属ローラである。幅寄せローラ３１ｂは、図５、図６に示すように、リング部材３１ｃを周面に取り付けている。リング部材３１ｃは、比較的摩擦係数が大きいゴム等の弾性材である。幅寄せローラ３１ｂは、周面に溝３１ｄを形成している。リング部材３１ｃは、この溝３１ｄに嵌入している。溝３１ｄは、リング部材３１ｃの厚さよりも深い領域と、リング部材３１ｃの厚さよりも浅い領域とを交互に、幅寄せローラ３１ｂの周面に形成している。図６に示す例は、幅寄せローラ３１ｂの周面を４分割（９０°で分割）し、リング部材３１ｃの厚さよりも深い領域と、リング部材３１ｃの厚さよりも浅い領域を交互に２つずつ設けた場合を例示している。溝３１ｄがリング部材３１ｃの厚さよりも深い領域では、このリング部材３１ｃが幅寄せローラ３１ｂの周面から突出しない。反対に、溝３１ｄがリング部材３１ｃの厚さよりも浅い領域では、このリング部材３１ｃが幅寄せローラ３１ｂの周面から突出する。
【００３８】
図７は、挿入口周辺を上面からみた概略の平面図である。図８は、挿入口から媒体搬送路奥側をみた概略の平面図である。幅寄せローラ３１ｂと、ガイドローラ３２ｂとは、媒体搬送路１３の幅方向に並んで配置している。幅寄せローラ３１ｂは、上述したように、モータ３１ａにより媒体搬送路１３の幅方向に回転する。一方、ガイドローラ３２ｂは、媒体搬送路１３における媒体の搬送方向に回転自在に取り付けている。
【００３９】
図７、および図８に示す搬送ローラ４１ａは、上下方向に移動自在に構成しており、搬送路面から突出している状態と、搬送路面から突出していない状態との間で変化する。
【００４０】
この幅寄せユニット３は、媒体挿入口１１、１２に挿入された媒体を、媒体搬送路１３のガイドローラ３２ｂ側の端部に合わせる幅寄せを行う。ガイドローラ３２ｂは、幅寄せローラ３１ｂ側の径が短い円錐ローラである。
【００４１】
センサ部３３は、媒体搬送路１３を挟んで発光素子と受光素子とを対向配置した透過型の光センサ３３ａ〜３３ｄで媒体の有無を検知する。光センサ３３ａ、３３ｂは、図示するように、媒体搬送路１３のガイドローラ３２ｂ側の端部に、媒体の搬送方向に並べて配置している。光センサ３３ａ、３３ｂは、媒体を媒体搬送路１３のガイドローラ３２ｂ側の端部に合わせたかどうか（媒体の幅寄せができたかどうか）を検知する。具体的には、光センサ３３ａ、３３ｂの両方が媒体を検知したときに、媒体を媒体搬送路１３のガイドローラ３２ｂ側の端部に合わせた（媒体の幅寄せができた）と判断する。光センサ３３ｃは、媒体挿入口１１、１２に媒体が挿入されたことを検知する。光センサ３３ｄは、媒体を媒体搬送路１３のガイドローラ３２ｂ側の端部に合わせる位置に達したことを検知する。
【００４２】
ここで、ソレノイド３２ａの駆動により、幅寄せローラ３１ｂ、およびガイドローラ３２ｂを媒体搬送路１３に位置する媒体に対して接離する方向に駆動する構成について説明する。幅寄せローラ３１ｂ、およびガイドローラ３２ｂを、１つのソレノイド３２ａで媒体搬送路１３に位置する媒体に対して接離する方向に駆動する。
【００４３】
なお、幅寄せローラ３１ｂを媒体搬送路１３に位置する媒体に対して接離する方向に駆動するソレノイドと、ガイドローラ３２ｂを媒体搬送路１３に位置する媒体に対して接離する方向に駆動するソレノイドと、を個別に設けてもよい。
【００４４】
幅寄せローラ３１ｂを取り付けたアーム５１と、ガイドローラ３２ｂを取り付けたアーム５２と、を図９に示すように連結している。図９では、モータ３１ａの駆動力を幅寄せローラ３１ｂに伝達するギア群については図示を省略している。アーム５１は、支点５１ａで上下に回動する。また、アーム５２は、支点５２ａで上下に回動する。アーム５１は、ピン５１ｂを形成している。アーム５２は、ピン５１ｂを通す長穴５２ｂを形成している。長穴５２ｂの短径は、ピン５１ｂの直径よりも大きい。ソレノイド３２ａは、駆動されたときに、アーム５１の支点５１ａと反対側の端部を下方向に引き下げる。これにより、幅寄せローラ３１ｂが下がる。また、ソレノイド３２ａは、駆動停止されたときに、アーム５１の支点５１ａと反対側の端部を上方向に戻す。これにより、幅寄せローラ３１ｂが上がる。
【００４５】
なお、アーム５１は、図示していないバネによって、支点５１ａと反対側の端部を上方向に引き上げる向きに付勢されている。
【００４６】
また、アーム５１が引き下げられたとき、アーム５２は、長穴５２ｂに通しているピン５１ｂによって下方向に押圧され、支点５２ａにおいて回動し、ガイドローラ３２ｂが下がる。また、アーム５１が上方向に戻されたとき、アーム５２は、長穴５２ｂに通しているピン５１ｂによって上方向に押圧され、支点５２ａにおいて回動し、ガイドローラ３２ｂが上がる。
【００４７】
さらに、長穴５２ｂの短径を、ピン５１ｂの直径よりも大きくしているので、アーム５２は、アーム５１よりも少し遅れて回動する。
【００４８】
次に、この幅寄せユニット３による媒体の幅寄せ動作について説明する。
【００４９】
幅寄せユニット３は、媒体挿入口１１（、または１２）に媒体が挿入されたことを光センサ３３ｃで検知すると、その旨を制御ユニット２に通知する。制御ユニット２は、搬送ユニット４に対して媒体の搬送を指示する。
【００５０】
搬送ユニット４は、搬送ローラ４１ａを搬送路面から突出させ、媒体を搬送ローラ４１ａ、４１ｂで挟持し、搬送ローラ４１ａを駆動して媒体を搬送する。幅寄せユニット３は、光センサ３３ｄが媒体を検知すると、制御ユニット２に対して媒体の搬送停止を要求する。制御ユニット２は、この要求に応じて、搬送ユニット４に対して媒体の搬送停止を指示する。搬送ユニット４は、搬送ローラ４１ａの駆動を停止し、搬送ローラ４１ａを搬送路面から突出してない位置に引き下げる。
【００５１】
幅寄せユニット３は、このとき光センサ３３ａ、３３ｂの両方が媒体を検出していれば、この媒体に対する幅寄せについては不要（媒体がガイドローラ３２ｂ側の媒体搬送路１３の端部に合っている。）と判断する。一方、幅寄せユニット３は、光センサ３３ａ、３３ｂの少なくとも一方が媒体を検出していなければ、この媒体に対する幅寄せが必要である（媒体が媒体搬送路１３のガイドローラ３２ｂ側の端部に合っていない。）と判断し、以下に示す幅寄せ動作を実行する。
【００５２】
ここで、光センサ３３ｄで検知されている媒体が、図１０に示す位置にあるとする。この媒体は、図示するように、媒体搬送路１３のガイドローラ３２ｂ側の端部から離れている。幅寄せユニット３は、ソレノイド３２ａを駆動し、幅寄せローラ３１ｂ、およびガイドローラ３２ｂを媒体側に下げる。このとき、幅寄せローラ３１ｂは、リング部材３１ｃが幅寄せローラ３１ｂの周面から突出している部分で媒体に当接する（図１１参照）。このとき、ガイドローラ３２ｂの下端は、幅寄せローラ３１ｂの下端よりも若干上方に位置し、搬送路面との間に、媒体の厚さと略同じ程度の隙間が生じている。
【００５３】
なお、幅寄せローラ３１ｂの下端位置は、媒体の厚さによって変化する。したがって、ガイドローラ３２ｂの下端位置も媒体の厚さによって変化する。
【００５４】
幅寄せユニット３は、モータ３１ａを駆動し、幅寄せローラ３１ｂを回転させる。これにより、媒体がガイドローラ３２ｂ側に送られる。
【００５５】
媒体は、ガイドローラ３２ｂの下側の隙間に入り、幅寄せローラ３１ｂ、およびガイドローラ３２ｂにより押えられる（図１２参照）。すなわち、媒体は、これまで幅寄せローラ３１ｂのみで押さえられていたのが、幅寄せローラ３１ｂ、およびガイドローラ３２ｂにより押さえられることになる。したがって、幅寄せローラ３１ｂが媒体を押さえる力が低下する。
【００５６】
媒体は、幅寄せローラ３１ｂの回転により、さらに媒体搬送路１３のガイドローラ３２ｂ側の端部に送られ、媒体搬送路１３奥側になる先端、または媒体搬送路１３手前側（後端部側）が先に媒体搬送路１３のガイドローラ３２ｂ側の端部にあたる。図１３は、媒体の媒体搬送路奥側になる先端が媒体搬送路１３のガイドローラ側の端部にあたった状態を示している。
【００５７】
幅寄せユニット３は、この時点では、光センサ３３ａが媒体を検出していないので、幅寄せローラ３１ｂの回転を継続する。媒体は、媒体搬送路１３のガイドローラ側の端部に当たっている先端を支点にして回転し、一方の側部が媒体搬送路１３のガイドローラ３２ｂ側の端部に沿う（図１４、図１５参照）。この状態で、光センサ３３ａ、３３ｂの両方が媒体を検出する。上述したように、幅寄せローラ３１ｂは、リング部材３１ｃが周面から突出している領域と、周面から突出していない領域と、が存在するので、リング部材３１ｃが周面から突出していない領域が媒体に当接しているとき、この媒体に生じた皺を逃がすことができる。
【００５８】
また、図１３に示す状態から、図１４に示す状態に移行する間、媒体は、ガイドローラ３２ｂにより抑えられているので、支点になる媒体搬送路１３のガイドローラ側の端部に当たっている先端にかかる応力が抑えられる。このため、媒体搬送路１３のガイドローラ側の端部に当たっている先端が折れるのを抑えられる。
【００５９】
なお、媒体が、媒体搬送路１３手前側（後端部側）が媒体搬送路１３のガイドローラ３２ｂ側の端部にあたっていたときは、この媒体が回転する支点が変化し、回転方向が異なるだけである。
【００６０】
また、図１４に示す状態に移行した時点で、媒体は図１５に示すように皺が発生している。幅寄せユニット３は、ソレノイド３２ａの駆動を停止する。これにより、幅寄せローラ３１ｂが媒体から離れ（図１６参照）、少し遅れて、ガイドローラ３２ｂが媒体から離れる（図１７参照）。図１６に示すように、幅寄せローラ３１ｂが媒体から離れたときには、幅寄せローラ３１ｂとガイドローラ３２ｂとの間で生じている媒体の皺が延びる。このとき、ガイドローラ３２ｂが媒体を抑えているので、媒体は、一方の側部が媒体搬送路１３のガイドローラ３２ｂ側の端部に沿った位置から動かない。
【００６１】
その後、ガイドローラ３２ｂが媒体から離れると、ガイドローラ３２ｂと、媒体搬送路１３のガイドローラ３２ｂ側の端部との間で生じている媒体の皺が延びる。このとき、媒体は、幅寄せローラ３１ｂ、およびガイドローラ３２ｂの両方に抑えられていないが、媒体搬送路１３のガイドローラ３２ｂ側の端部との間で生じている皺が延びるだけなので、媒体搬送路１３のガイドローラ３２ｂ側の端部から離れる方向に作用する反力が小さい。すなわち、媒体は、媒体搬送路１３のガイドローラ３２ｂ側の端部からほとんど跳ね返ることがない。したがって、媒体を、搬送方向に沿う媒体搬送路１３の一方の端部に精度よく幅寄せすることができる
幅寄せユニット３は、媒体の幅寄せ完了を制御ユニット２に通知する。制御ユニット２は、この幅寄せ完了の通知を受けて、搬送ユニット４に対して、媒体の搬送を指示する。媒体は、搬送ユニット４によって媒体搬送路１３に沿って搬送され、処理位置でデータの読み取り、記録、印字等にかかる処理が行われる。
【００６２】
なお、ガイドローラ３２ｂは、媒体を抑えることができる構成であれば、板状部材で構成してもよい。また、幅寄せローラ３１ｂは、ゴム等の比較的摩擦係数の高い材質であってもよい。また、この幅寄せユニット３は、上述した記帳機１だけでなく、カード等の他の媒体を処理する装置にも利用できる。
【符号の説明】
【００６３】
１…記帳機
３…幅寄せユニット
１１…媒体挿入口
１２…媒体挿入口
１３（１３ａ、１３ｂ、１３ｃ）…媒体搬送路
１４…排出口
３０…制御部
３１…モータ駆動部
３１ａ…モータ
３１ｂ…ローラ
３１ｃ…リング部材
３１ｄ…溝
３２…ソレノイド駆動部
３２ａ…ソレノイド
３２ｂ…ガイドローラ
３３…センサ部
３３ａ、３３ｂ、３３ｃ、３３ｄ…光センサ
５１…アーム
５１ａ…支点
５１ｂ…ピン
５２…アーム
５２ａ…支点
５２ｂ…長穴
【図１】
0005611107.tif 000002
【図２】
0005611107.tif 000003
【図３】
0005611107.tif 000004
【図４】
0005611107.tif 000005
【図５】
0005611107.tif 000006
【図６】
0005611107.tif 000007
【図７】
0005611107.tif 000008
【図８】
0005611107.tif 000009
【図９】
0005611107.tif 000010
【図１０】
0005611107.tif 000011
【図１１】
0005611107.tif 000012
【図１２】
0005611107.tif 000013
【図１３】
0005611107.tif 000014
【図１４】
0005611107.tif 000015
【図１５】
0005611107.tif 000016
【図１６】
0005611107.tif 000017
【図１７】
0005611107.tif 000018